(57)【要約】  心イベント監視システムは、ベースコネクタを有するベースユニットと、装着型電極システムと、挿入アダプタとを備えている。前記装着型電極システムは、ケーブルと、前記ケーブルの一端に電極と、前記ケーブルのもう一端にケーブルコネクタとを備えている。前記ケーブルコネクタは、ベースコネクタへ挿入するように構成されている。前記挿入アダプタは、電極と、前記ベースコネクタへ挿入するように構成されたアダプタコネクタとを備えている。
2010506690.tif 000002
【特許請求の範囲】
【請求項１】
ベースコネクタを有するベースユニットと、
ケーブル、前記ケーブルの一端に電極、および前記ケーブルのもう一端にケーブルコネクタを有する装着型電極システムと
を具備する心イベント監視システムであって、
前記ケーブルコネクタは、前記ベースコネクタへ挿入するように構成され、
前記心イベント監視システムは、
電極、および前記ベースコネクタへ挿入するように構成されたアダプタコネクタを有する挿入アダプタを具備することを特徴とする心イベント監視システム。
【請求項２】
前記挿入アダプタは、２つの電極を具備することを特徴とする請求項１に記載の心イベント監視システム。
【請求項３】
前記挿入アダプタの電極は、それぞれ指を受けるサイズであることを特徴とする請求項１に記載の心イベント監視システム。
【請求項４】
前記装着型電極システムの電極は、患者の皮膚に付着するように構成されていることを特徴とする請求項１に記載の心イベント監視システム。
【請求項５】
前記ベースユニットは、自動取得モードで動作するように構成されたコントローラを具備することを特徴とする請求項１に記載の心イベント監視システム。
【請求項６】
前記挿入アダプタおよび前記装着型電極システムの電極は、患者の皮膚に接した場合、患者の心臓からの電気信号を検出することを特徴とする請求項１に記載の心イベント監視システム。
【請求項７】
前記ベースユニットは、前記挿入アダプタまたは前記装着型電極システムから記録されたデータを送信するスピーカを具備することを特徴とする請求項１に記載の心イベント監視システム。
【請求項８】
前記ベースユニットは、前記挿入アダプタまたは前記装着型電極システムから記録されたデータを保存するメモリを具備することを特徴とする請求項１に記載の心イベント監視システム。
【請求項９】
前記ベースユニットは、ディスプレイを具備することを特徴とする請求項１に記載の心イベント監視システム。
【請求項１０】
前記ベースユニットは、１つまたは複数の入力装置を具備することを特徴とする請求項１に記載の心イベント監視システム。
【請求項１１】
前記ベースユニットは、手動モードで動作するように構成されたコントローラを具備することを特徴とする請求項１に記載の心イベント監視システム。
【請求項１２】
装着型電極システムのケーブルコネクタを受けるように構成されたベースコネクタを有するベースユニットと、
電極、および前記ベースユニットのベースコネクタへ挿入するように構成されたアダプタコネクタを有する挿入アダプタと
を具備することを特徴とする心イベント監視システム。
【請求項１３】
前記ベースユニットは、自動取得モードで動作するように構成されたコントローラを具備することを特徴とする請求項１２に記載の心イベント監視システム。
【請求項１４】
前記各電極は、指を受けるサイズであることを特徴とする請求項１２に記載の心イベント監視システム。
【請求項１５】
前記挿入アダプタの電極は、患者の皮膚に接した場合、患者の心臓からの電気信号を検出することを特徴とする請求項１２に記載の心イベント監視システム。
【請求項１６】
前記ベースユニットは、前記挿入アダプタまたは前記装着型電極システムから記録されたデータを送信するスピーカを具備することを特徴とする請求項１２に記載の心イベント監視システム。
【請求項１７】
前記ベースユニットは、前記挿入アダプタまたは前記装着型電極システムから記録されたデータを保存するメモリを具備することを特徴とする請求項１２に記載の心イベント監視システム。
【請求項１８】
心イベントを監視する方法であって、
装着型電極システムが監視システムのベースユニットに接続されているかどうかを判定するとともに、前記装着型電極システムが前記ベースユニットに接続されている場合、前記装着型電極システムの電極から電気信号を受信するように前記ベースユニットを動作させるステップと、
前記装着型電極システムが前記ベースユニットに接続されていない場合、挿入アダプタが前記ベースユニットに接続されているかどうかを判定するステップと、
前記挿入アダプタが前記ベースユニットに接続されている場合、前記挿入アダプタの電極から電気信号を受信するように前記ベースユニットを動作させるステップと
を具備することを特徴とする方法。
【請求項１９】
前記患者が前記電気信号を送信するように要求したと判定された場合、監視センタに前記電気信号を送信するステップをさらに具備することを特徴とする請求項１８に記載の方法。
【請求項２０】
前記装着型電極システムの電極から電気信号を受信するように前記ベースユニットを動作させるステップは、
前記患者の電気信号を監視するステップと、
前記電気信号が異常であると判定された場合、前記電気信号を記録するステップと
を具備することを特徴とする請求項１８に記載の方法。
【請求項２１】
前記挿入アダプタの電極から電気信号を受信するように前記ベースユニットを動作させるステップは、前記患者の身体が前記電極と接続している場合、前記挿入アダプタの電極から電気信号を受信するステップを具備することを特徴とする請求項１８に記載の方法。
【請求項２２】
前記挿入アダプタまたは前記装着型電極システムから受信された電気信号を、所定の期間、または患者が電気信号を送信するまでメモリに保存するステップをさらに具備することを特徴とする請求項１８に記載の方法。
【請求項２３】
前記ベースユニットに関する患者への指示を表示するステップをさらに具備することを特徴とする請求項１８に記載の方法。
【請求項２４】
前記ベースユニットに関する前記患者からの指示を、１つまたは複数の入力装置から受信することを特徴とする請求項１８に記載の方法。
【請求項２５】
心イベントを監視する方法であって、
電極、およびベースユニットのベースコネクタへ挿入するように構成されたアダプタコネクタを有する挿入アダプタを与えるステップを具備し、
前記ベースコネクタは、ケーブル、前記ケーブルの一端に電極、および前記ケーブルのもう一端にケーブルコネクタを有する装着型電極システムの前記ケーブルコネクタを受けるように構成されることを特徴とする方法。
【請求項２６】
ハウジングと、
前記ハウジングの片側に２つの指電極と、
前記ハウジングのもう片側にアダプタコネクタと
を具備し、
前記アダプタコネクタは、心イベントモニタのベースユニットのコネクタへ挿入されるように構成されることを特徴とする挿入アダプタ。
【発明の詳細な説明】
【技術分野】
【０００１】
本発明は、心イベント監視システムに関する。
【背景技術】
【０００２】
心イベントの監視は、心臓由来で、かつ、たとえば１週間に３回以下といった不定期に発生する症状を訴える患者について行われる手続きである。用語「心イベント」は、伝統的に、その検査が症状または「イベント」の発生に依存することから使用される。症状が発生した場合、患者は、自分の心電図（ＥＣＧ）を記録するため、イベントモニタを作動させる。検査期間中（数日から、場合によっては、たとえば３０日間続く場合もある）、患者はイベントモニタを持ち運ぶ。
【発明の概要】
【課題を解決するための手段】
【０００３】
一般的な一態様において、心イベント監視システムは、ベースコネクタを有するベースユニットと、装着型電極システムと、挿入アダプタとを備えている。装着型電極システムは、ケーブルと、ケーブルの一端に電極と、ケーブルのもう一端にケーブルコネクタとを備えている。ケーブルコネクタは、ベースコネクタへ挿入するように構成されている。挿入アダプタは、電極と、ベースコネクタへ挿入するように構成されたアダプタとを備えている。
【０００４】
本発明の実施は、以下の１つまたは複数の特徴を備えることができる。たとえば、挿入アダプタは、２つの電極を備えることができる。挿入アダプタの電極は、それぞれ指を受けるサイズであることが可能である。装着型電極システムの電極は、患者の皮膚に付着するように構成することができる。挿入アダプタおよび装着型電極システムの電極は、患者の皮膚に接した場合、患者の心臓からの電気信号を検出することができる。
【０００５】
ベースユニットは、コントローラを備えることができる。コントローラは、自動取得モード、手動モード、または指電極モードで動作するように構成することができる。ベースユニットは、挿入アダプタまたは装着型電極システムから記録されたデータを送信するスピーカを備えることができる。ベースユニットは、挿入アダプタまたは装着型電極システムから記録されたデータを保存するメモリを備えることができる。ベースユニットは、ディスプレイ、および／あるいは１つまたは複数の入力装置を備えることができる。
【０００６】
別の一般的な態様において、心イベント監視システムは、ベースユニットおよび挿入アダプタを備えている。ベースユニットは、装着型電極システムのケーブルコネクタを受けるように構成されたベースコネクタを備えている。挿入アダプタは、電極と、ベースユニットのベースコネクタへ挿入するように構成されたアダプタコネクタとを備えている。
【０００７】
本発明の実施は、以下の１つまたは複数の特徴を備えることができる。たとえば、ベースユニットは、自動取得モードで動作するように構成されたコントローラを備えることができる。
【０００８】
各電極は、指を受けるサイズであることができる。挿入アダプタの電極は、患者の皮膚に接した場合、患者の心臓からの電気信号を検出することができる。
【０００９】
ベースユニットは、挿入アダプタまたは装着型電極システムから記録されたデータを送信するスピーカを備えることができる。ベースユニットは、挿入アダプタまたは装着型電極システムから記録されたデータを保存するメモリを備えることができる。
【００１０】
別の一般的な態様において、心イベントを監視する方法は、装着型電極システムが監視システムのベースユニットに接続されているかどうかを判定するステップと、装着型電極システムがベースユニットに接続されている場合、装着型電極システムの電極からの電気信号を受信するようにベースユニットを動作させるステップとを備えている。前記方法は、装着型電極システムがベースユニットに接続されてない場合、挿入アダプタがベースユニットに接続されているかどうかを判定するステップと、挿入アダプタがベースユニットに接続されている場合、挿入アダプタの電極から電気信号を受信するようにベースユニットを動作させるステップとをさらに備えている。
【００１１】
本発明の実施は、以下の１つまたは複数の特徴を備えることができる。たとえば、前記方法は、患者が電気信号を送信することを要求したと判定された場合、監視センタに電気信号を送信するステップをさらに備えることができる。
【００１２】
装着型電極システムの電極から電気信号を受信するように、ベースユニットを動作させるステップは、患者の電気信号を監視するステップと、電気信号が異常であると判定された場合、電気信号を記録するステップとを備えることができる。挿入アダプタの電極から電気信号を受信するように、ベースユニットを動作させるステップは、患者が少なくとも１つの電極の上に指を置いた場合、挿入アダプタの電極から電気信号を受信するステップを備えることができる。
【００１３】
前記方法は、所定の期間、または患者が電気信号を送信するまで、挿入アダプタ、または装着型電極システムから受信した電気信号をメモリに保存するステップを備えることができる。前記方法は、ベースユニットに関する患者への指示を表示するステップを備えることができる。前記方法は、ベースユニットに関する患者からの指示を、１つまたは複数の入力装置から受信するステップを備えることができる。
【００１４】
さらなる一般的な態様において、心イベントを監視する方法は、電極と、ベースユニットのベースコネクタに挿入するように構成されたアダプタコネクタとを有する挿入アダプタを与えるステップを備えている。ベースコネクタは、ケーブルと、ケーブルの一端に電極と、ケーブルのもう一端にケーブルコネクタとを有する装着型電極システムのケーブルコネクタを受けるように構成されている。
【００１５】
別の一般的な態様において、挿入アダプタは、ハウジングと、ハウジングの片側に２つの指電極と、ハウジングのもう片側にアダプタコネクタとを備えている。アダプタコネクタは、心イベントモニタのベースユニットのコネクタへ挿入するように構成されている。
【００１６】
心イベント監視システムは、装着型電極を用いる標準のイベントモニタを患者が使用することを可能にするだけでなく、装着型電極に対して患者が戸惑うまたは使用を望まない場合、患者に指電極を使用する選択肢を与えるシステムを提供する。挿入アダプタは、すでに装着型電極システムと接続するように構成されているベースユニットと互換性があるように構成されている。したがって、指電極とともに使用するために、標準のベースユニットを再構成する必要がない。装着型電極または指電極のいずれかを使用することができるとともに、一式でさらなる選択肢を患者に提供することができる。
【００１７】
本願発明の他の特徴は、本願明細書、添付の図面、および添付の特許請求の範囲から明らかとなる。
【００１８】
様々な図面において同一の参照符号は、同一の構成要素を示している。
【図面の簡単な説明】
【００１９】
【図１】心イベント監視システムのブロック図である。
【図２Ａ】図１の心イベント監視システムのベースユニットの透視図である。
【図２Ｂ】図１の心イベント監視システムのベースユニットの透視図である。
【図３Ａ】図１の心イベント監視システムの挿入アダプタの透視図である。
【図３Ｂ】図３Ａの挿入アダプタの上面、前面、および側面図である。
【図３Ｃ】図３Ａの挿入アダプタの上面、前面、および側面図である。
【図３Ｄ】図３Ａの挿入アダプタの上面、前面、および側面図である。
【図３Ｅ】図３Ａの挿入アダプタの電気回路図である。
【図４】図１の心イベント監視システムの動作を示す手続きのフローチャートである。
【図５】図２Ａおよび２Ｂのベースユニットに接続され、図３Ａの挿入アダプタを用いた図１の心イベント監視システムを示す透視図である。
【図６】図２Ａおよび２Ｂのベースユニットに接続された図３Ａの挿入アダプタとともに図１の心イベント監視システムを使用する患者を示す透視図である。
【発明を実施するための形態】
【００２０】
心イベントの監視は、心臓疾患の様々なタイプの一過性で不定期な症状を経験した患者を診断するために使用される。息切れ、目眩、および動悸などの症状は、患者共通の病状の一部である。それらの症状は、心筋の収縮を制御する電気信号の乱れによって生じうる。その乱れは、ランダム、自発的、あるいは感情またはストレスによって誘発される。
【００２１】
図１を参照すると、心イベント監視システム１００は、ベースユニット１０５と、装着型電極システム１１０と、挿入アダプタ１１５とを備えている。以下に詳細が記載されるように、ベースユニット１０５は、ベースコネクタ１２０と、電子部品を収容するとともにユーザインタフェースを有する本体１０７とを備えている。
【００２２】
前記装着型電極システム１１０は、ケーブル１２５と、ケーブル１２５の一端に少なくとも２つの電極１３０と、ケーブル１２５のもう一端にケーブルコネクタ１３５とを備えている。ケーブルコネクタ１３５は、ベースコネクタ１２０へ挿入するように構成されている。各電極１３０は、患者の皮膚と接する平面パッチ上の導電部材によって構成されている。いくつかの場合、各電極１３０の平面パッチは、患者の皮膚と電極表面との間の電気伝導を向上させるゲルでコーティングされている。パッチは、患者の皮膚に張り付く粘着剤を備えることができる。電極１３０は、通常、患者の胸部に沿って、最良のＥＣＧ信号を取り出すのに適した場所に配置される。
【００２３】
図２Ａおよび２Bを参照すると、前記ベースユニット１０５は、ポケットベルサイズであるとともに、手持ち、または患者装着型であることができる。ベースユニット１０５は、システム１００の動作を制御するコンポーネントを収容する本体１０７を備えている。したがって、ベースユニット１０５は、本体１０７内のコントローラ１５０と、本体１０７を通してコントローラ１５０に接続された様々な入力および出力装置とを備えている。コントローラ１５０は、本体１０７内の片側のコンパートメント２００内に配置された電池によって供給が可能な、電源１５５からの電力を受ける。本体１０７およびバッテリコンパートメント２００は、硬質プラスチックのような、適切な非電導性軽量材料で作ることができる。
【００２４】
前記コントローラ１５０は、プロセッサ１５１、メモリ１５２、クロック１５３、およびカウンタ１５４を備え、装着型電極システム１１０、および／または挿入アダプタ１１５からの信号を処理し、前記システム１００を使用する患者またはサービス技師からの入力を受信するとともに、医療従事者、クリニック、または病院によって提供されるように、監視センタへ記録したデータを送信する。ベースユニット１０５上の入力装置は、症状記録ボタン１６０と、「はい」／送信ボタン１６５と、「いいえ」ボタン１７０とを備えている。「はい」／送信ボタン１６５は、２つの方法のうちいずれかで使用することができる。すなわち、コントローラ１５０によって質問された場合に、「はい」と答えるための、応答ボタンとしてとして使用することができる、またはＥＣＧを送信するように、コントローラ１５０に指示するために使用することができる。「いいえ」ボタン１７０は、２つの方法のうちいずれかで使用することができる。すなわち、コントローラ１５０によって質問された場合、「いいえ」と答えるための応答ボタンとして使用することができる、またはＥＣＧの送信を取り消すように、コントローラ１５０に指示するために使用することができる。
【００２５】
前記ベースユニット１０５上の出力装置は、患者、および／または技師とのインタフェースを提供する、液晶ディスプレイ（ＬＣＤ）などのディスプレイ１７５と、記録に関するデータを送信するスピーカ１８０と備えている。
【００２６】
前記システム１００は、装着型電極システム１００または挿入アダプタ１１０から受信した異常なＥＣＧ信号を記録し、保存するとともに、送信するように構成されている。システム１００は、実際、一過性でかつ不定期な症状を経験している患者によって使用されることを意図し、数日または数週間の間、装着することができる。水分（たとえば、汗）が、前記ベースユニット１０５と接触する可能性がある場合、ベースユニット１０５は、患者の衣服の外側に装着することができる。湿潤または低温状態の間、保護のため、ベースユニット１０５は、レインコートまたはジャケットなどの上着の下に装着することができる。
【００２７】
患者は、通常、ＥＣＧデータを取得する単一ユニットとして前記ベースユニット１０５および装着型電極システム１１０を動作させる。しかし、ベースユニット１０５および装着型電極システム１１０の特徴を所望する患者の一部は、さらに、指電極による取得を選択肢として所望する可能性がある。それは、データを得るため患者の皮膚の上に配置しなければならない装着型電極１３０を使用するよりも、患者に与える負担が小さい。したがって、挿入アダプタ１１５は、装着型電極システム１１０が、ベースユニット１０５に接続されていない、または外れている場合に、ベースユニット１０５と接続するように構成されている。
【００２８】
図３Ａ〜３Ｄを参照すると、前記挿入アダプタ１１５は、ハウジング３００の片側に指電極３０５，３１０を有するハウジング３００と、ハウジング３００のもう片側から突出しているアダプタコネクタ３１５とを備えている。アダプタ１１５が、ベースユニット１０５に取り付けられている場合、患者は、ベースユニット１０５を持ちながら各電極３０５，３１０上に指の表面を容易に置くことができるように、電極３０５，３１０は、配置されている。患者が使用する指は、患者の手の５本の指（five terminating members）のうちいずれでもよい。アダプタ３１５は、ベースコネクタ１２０へ挿入するように構成されているとともに、コネクタ３１５内の接続は、アダプタ１１５および装着型電極システム１１０の両方をベースユニット１０５とともに使用可能にする装着型電極システム１１０のコネクタ１３５の接続と同じである。ハウジング３００は、硬貨プラスチックなどの軽量非導電性材料で作られている。アダプタ１１５は、一般的に、ベースユニット１０５よりも小さいが、電極３０５，３１０で指を受けるには十分大きいサイズである。図示されているように、アダプタ１１５は、長方形形状であることができる。
【００２９】
図３Ｅを参照すると、前記アダプタ１１５は、電極３０５，３１０からアダプタコネクタ３１５への電気接続３５５，３６０を備えている。電気接続３５５，３６０は、装着型電極システム１１０内の電気接続と同じ様式で、ベースユニット１０５のコントローラ１５０に接続されている。さらに、アダプタ１１５は、ベースユニットに接続されている場合、ベースユニット１０５がアダプタ１１５を識別するのを可能にする特有の識別子を備えている。たとえば、特有の識別子は、アダプタ１１５に対して特有の値を有する抵抗器３６５，３７０によって形成される内部抵抗から形成することができる。
【００３０】
さらに図４を参照すると、手続き４００は、患者の心イベントを監視する前記心イベント監視システム１００によって、実行される。一般に、ベースユニット１０５は、電源１５５のエネルギーを節約するため、不活性期間の後にターンオフする。ベースユニット１０５は、患者が、ベースユニット１０５のボタンを押すことによって、ベースユニット１０５をターンオンすることができるように、セットアップすることができる。最初に、コントローラ１５０は、装着型電極システム１１０がベースユニット１０５に接続されているかどうかを判定する（ステップ４０５）。たとえば、装着型電極システム１１０は、装着型電極システム１１０に対する特有の内部抵抗を備えることができるとともに、ベースユニット１０５は、装着型電極システム１１０がベースユニット１０５に接続されている場合、前記抵抗を検出することができる。装着型電極システム１１０が、ベースユニット１０５に接続されている場合、コントローラ１５０は、患者が、たとえばセットアップ動作中に自動取得モードを選択することによって、ベースユニット１０５を自動取得モードで動作するようにセットアップしているかどうかを判定する（ステップ４１０）。患者が、自動取得モードを予め選択している場合（ステップ４１０）、コントローラ１５０は、自動取得モード（コントローラ１５０が、患者からの入力なしに、ＥＣＧを記録するタイミングを判定するモード）で動作する（ステップ４１５）。
【００３１】
前記自動取得モード中（ステップ４１５）、患者は、検査期間中、患者に装着された小型バッテリ電源式システムを持ち運ぶ。電極１３０は、結合された（associated）粘着パッチを用いて、患者の身体、たとえば患者の胸部などに付着されるとともに、電極１３０は、患者の心臓からの電気信号を検出する。コントローラ１５０は、心臓の電気信号における異常を検出するため、電極１３０からの電気信号を持続的に解析する。コントローラ１５０が異常を検出した場合、コントローラ１５０は、所定のプロトコルに従って、イベントデータを記録および保存する。さらに、自動取得モードに充てられているメモリ１５２を、動的に管理するとともに、必要に応じて、新たな活動に関して上書きすることができる。さらに、コントローラ１５０は、データが記録されていることと、患者は監視センタにデータを送信するべきであることとを患者に知らせる信号をスピーカ１８０に送信することができる。装着型電極システム１１０がベースユニット１０５から外れているとの通知を受信するまで（ステップ４０５）、または患者が手動モードで動作するようにベースユニット１０５をセットアップしてない場合（ステップ４１０）に、コントローラ１５０は、自動取得モードで動作する（ステップ４１５）。
【００３２】
前記装着型電極システム１１０がベースユニット１０５に接続されていると、コントローラ１５０が判定し（ステップ４０５）、かつ患者がベースユニット１０５を手動モードで動作するようにセットアップした場合（ステップ４１０）、コントローラ１５０は、手動モードで動作する（ステップ４２０）。自動取得モードと同様に、手動モードにおける検査期間中、患者は、患者に装着されたバッテリ電源式システム１００を持ち運ぶ。電極１３０は、患者の身体に付着されるとともに、電極１３０は、患者の心臓からの電気信号を検出する。症状が発生した場合、患者は、症状記録ボタン１６０を押すことによってＥＣＧを記録するように、ベースユニット１０５内のコントローラ１５０をトリガする。ディスプレイ１７５は、記録が行われている間、カウントダウンメッセージを示す。コントローラ１５０は、装着型電極システム１１０がベースユニット１０５から外れているとの通知を受信するまで（ステップ４０５）、または患者がベースユニット１０５を自動取得モードで動作するようにセットアップしていない場合（ステップ４１０）、手動モードで動作する。
【００３３】
前記装着型電極システム１１０がベースユニット１０５に接続されていないと、コントローラ１５０が判定した場合（ステップ４０５）、コントローラ１５０は、挿入アダプタ１１５がベースユニット１０５に接続されているかどうかを判定する（ステップ４２５）。たとえば、挿入アダプタ１１５は、挿入アダプタに対する特有の抵抗を有する抵抗器３６５，３７０を備えるとともに、ベースユニット１０５は、挿入アダプタ１１５がベースユニット１０５に接続されている場合、前記抵抗を検出することができる。図５に示されているように、挿入アダプタ１１５がベースユニット１０５に接続されている場合、コントローラ１５０は指電極モードで動作する（ステップ４３０）。指電極モード中（ステップ４３０）、ベースユニット１０５は、遮断する、または待機モードで動作するとともに、コントローラ１５０は、患者がデータの記録を開始する行動をとるまで、電源１５５における電力を節約するように、ディスプレイ１７５を待機状態に維持することができる。
【００３４】
図６に示されているように、前記患者が症状を経験した場合、患者は、症状記録ボタン１６０を押すとともに、ディスプレイ１７５を見る。コントローラ１５０は、ボタン１６０が押されていることを判定するとともに、カウントダウンモードに入り、電極３０５，３１０が指と接するように、指を電極３０５，３１０の上に置くよう患者に指示する、「countdown to record（記録までのカウントダウン）」メッセージを表示するように、ディスプレイ１７５に信号を送信する。コントローラ１５０がカウントダウンを完了した後、カウントダウンモードは終了するとともに、コントローラ１５０はベースユニットがデータを記録しているとの通知をディスプレイ１７５に表示させる。たとえば、ディスプレイ１７５は、「Finger Electrode Recording XX（指電極記録ＸＸ）」メッセージを表示することができる。ただし、ＸＸは、ベースユニット１０５のセットアップ中の測定期間として指定される秒数である。たとえば、図６に示されているように、表示メッセージは、「Finger Electrode recording 10（指電極記録１０）」である。コントローラ１５０は、ＸＸの値から０までカウントダウンするとともに、０に達すると、コントローラ１５０は、送信プロンプトモードに入る。以下に記載するように、コントローラ１５０は、患者に記録信号を送信するよう要求するメッセージを表示するように、ディスプレイ１７５に信号を送信することができる。コントローラ１５０は、挿入アダプタ１１５がベースユニット１０５から外れているとの通知を受信するまで（ステップ４２５）、指電極モードで動作する（ステップ４３０）。
【００３５】
前記記録が完了した後、患者は、装着型電極システム１００、または挿入アダプタ１１５のいずれかをベースユニット１０５から外す。したがって、コントローラ１５０は、装着型電極システム１００が、ベースユニット１０５に接続されていないこと（ステップ４０５）と、挿入アダプタ１１５が、ベースユニット１０５に接続されていないこと（ステップ４２５）とを判定する。次に、コントローラ１５０は、「はい」／送信ボタン１６５が押されているかどうかを判定する（ステップ４３５）。この実施では、ベースユニット１０５は、装着型電極システム１１０および挿入アダプタ１１５の両方がベースユニット１０５から外れている場合、単に送信するように構成されている。「はい」／送信ボタン１６５が押されていない場合（ステップ４３５）、エネルギーを節約するため、コントローラ１５０は、ベースユニット１０５を待機モードに入れる（ステップ４４０）。
【００３６】
前記「はい」／送信ボタン１６５が押されていると、コントローラ１５０が判定した場合（ステップ４３５）、コントローラ１５０は、送信モードで動作する（ステップ４４５）。送信モード中、患者は、電話または他の適した装置を使用して、監視センタにＥＣＧデータを送信する。ＥＣＧデータを送信するため、患者は、監視センタに発呼するとともに、監視センタによって与えられる指示に従う。次に、患者は、ベースユニット１０５を電話近くの平らな面の上に配置するとともに、ベースユニット１０５の後ろに電話の送話口を配置する。患者は、ＥＣＧデータの送信を開始するため、スピーカ１８０に信号を送信するようコントローラ１５０に指示する、「はい」／送信ボタン１６５を押す。送信中、スピーカ１８０は、ＥＣＧデータを表す連続トーンを発する。必要があれば、いくつかの環境では、患者はＥＣＧデータを再送信することができる。
【００３７】
前記監視センタのスタッフは、記録を検査するとともに、必要な場合、即座に患者の医師へ報告する。レポートが、生成されるともに、医師へ送られる。図４に示されている実施では、患者は、送信の前に、装着型電極システム１１０のケーブルコネクタ１３５と、挿入アダプタとをベースユニット１０５から外している。
【００３８】
他の実施は、添付の特許請求の範囲内である。たとえば、他の実施では、ベースユニット１０５は、装着型電極システム１１０、または挿入アダプタ１１５のいずれかがベースユニット１０５に接続された場合、送信することができるように構成可能である。したがって、この実施では、患者は、送信の前に、ベースユニット１０５から装着型電極システム１１０または挿入アダプタ１１５を外すことが要求されない。患者は、送信モードを開始するため、送信ボタン１６５を押すことのみ要求される。
【００３９】
前記ベースユニット１０５は、患者が過度の苦労をせずに、患者の身体に装着されたベースユニット１０５を持ち運ぶことができるのに適した任意のサイズであることができる。
【００４０】
代替として、前記患者は、データが記録された後のある期間中、コントローラ１５０のメモリ１５２に保存されるＥＣＧデータが送信するのを待つことができる。
【００４１】
前記挿入アダプタ１１５は、他の好ましい形状で形成することができる、または、人間工学的に構成することができる。たとえば、アダプタ１１５は、ベースユニット１０５へ挿入された場合、ベースユニット１０５に面するフラットベースを有するとともに、角度のある２つの表面によって三角形形状の外面を有することができることによって、電極３０５，３１０は角度のある表面に沿って形成される。別の例として、アダプタ１１５は、ベースユニット１０５に挿入されたとき、ベースユニット１０５に面するフラットベースを有するとともに、電極３０５，３１０が形成される凹または凸外面を有することができる。外面は、電極を備えた各側面を有する多角形であることができる。挿入アダプタ１１５は、患者の指と電極３０５，３１０との接触を形成するのに適しているが、挿入アダプタ１１５と、特に電極３０５，３１０とは、患者の任意の身体部分に接することができる。たとえば、電極３０５，３１０は、患者の胸部、脚、または腕に接することができる。さらに、電極３０５，３１０は、様々な形状またはサイズで構成することができる。
【００４２】
前記電源１５５は、コンパートメント２００上で利用可能で、かつ電源１５５およびコントローラ１５０に接続されたスイッチ２０５（図１および２Ｂ）によって、ターンオフおよびオンすることができる。
【符号の説明】
【００４３】
１００  心イベント監視システム
１０５  ベースユニット
１１０  装着型電極システム
１１５  挿入アダプタ
１２０  ベースコネクタ
１２５  ケーブル
１３０  電極
１３５  ケーブルコネクタ
１５２  メモリ
１７５  ディスプレイ
１８０  スピーカ
３００  ハウジング
【図１】
2010506690.tif 000003
【図２Ａ】
2010506690.tif 000004
【図２Ｂ】
2010506690.tif 000005
【図３Ａ】
2010506690.tif 000006
【図３Ｂ】
2010506690.tif 000007
【図３Ｃ】
2010506690.tif 000008
【図３Ｄ】
2010506690.tif 000009
【図３Ｅ】
2010506690.tif 000010
【図４】
2010506690.tif 000011
【図５】
2010506690.tif 000012
【図６】
2010506690.tif 000013
【国際調査報告】
2010506690.tif 000014
2010506690.tif 000015